(57)【要約】【課題】  Ｎｉｎ１印刷した場合でも、符号画像を元の大きさで出力可能にする。【解決手段】  プリント画像に含まれる符号画像を検出し、検出した符号画像に関する情報を取得、記憶しておき、プリント画像を含むプリントジョブの印刷設定を取得した後で、プリント画像が縮小印刷される場合に、記憶した符号画像に関する情報をプリントジョブの空白部分に結合する。【選択図】図４
2012120099.tif 000002
【特許請求の範囲】
【請求項１】
プリント画像に含まれる符号画像を検出する符号画像検出手段と、
検出した符号画像に関する情報を取得し、記憶する符号画像情報記憶手段と、
前記プリント画像を含むプリントジョブの印刷設定を取得する印刷設定取得手段と、
前記印刷設定取得手段により、前記プリント画像が縮小印刷される場合に、前記符号画像情報記憶手段で記憶した符号画像に関する情報から、前記符号画像を前記プリントジョブの空白部分に結合するプリントジョブ結合手段とを有することを特徴とする印刷制御装置。
【請求項２】
前記プリントジョブ結合手段は、前記プリントジョブの最終ページに空白部分があれば、空白部分に前記符号画像を結合し、前記プリントジョブの最終ページに空白部分がなければ、新規ページを生成して該新規ページに該符号画像を結合することを特徴とする請求項１に記載の印刷制御装置。
【請求項３】
前記符号画像情報記憶手段の取得する情報は、前記符号画像の情報と前記符号画像のプリント画像に対する位置情報とを含んでおり、
前記位置情報から、前記プリントジョブ結合手段によりプリントジョブを結合する際に前記符号画像の情報に付加して表記するデータを記憶した符号画像位置表記データ記憶手段を有し、
前記プリントジョブ結合手段は、前記符号画像を前記プリントジョブの空白部分に結合する際に、前記符号画像位置表記データ記憶手段に記憶されたデータを付加して結合することを特徴とする請求項１乃至２記載の印刷制御装置。
【請求項４】
前記プリントジョブ結合手段は、前記プリントジョブ内の符号画像位置にユニークなデータを付与し、前記最終ページに結合する前記符号画像に対応するユニークなデータを付加して結合することを特徴とする請求項１乃至３記載の印刷制御装置。
【請求項５】
前記印刷設定取得手段は前記プリントジョブを１／Ｎで縮小印刷する印刷設定であって、
前記プリントジョブ結合手段は前記符号画像をＮ倍に拡大して前記プリントジョブの空白部分に結合することを特徴とする請求項１乃至４記載の印刷制御装置。
【請求項６】
プリント画像に含まれる符号画像を検出する符号画像検出ステップと、
検出した符号画像に関する情報を符号画像情報記憶手段に記憶させるために情報取得する符号画像情報取得ステップと、
前記プリント画像を含むプリントジョブの印刷設定を取得する印刷設定取得ステップと、
前記印刷設定取得ステップにより、前記プリント画像が縮小印刷される場合に、前記符号画像情報記憶手段が記憶した符号画像に関する情報から、前記符号画像を前記プリントジョブの空白部分に結合するプリントジョブ結合ステップとを有することを特徴とする印刷制御方法。
【請求項７】
請求項６に記載された印刷制御方法をコンピュータに実行させるためのプログラム。
【請求項８】
請求項６に記載された印刷制御方法をコンピュータに実行させるためのプログラムをコンピュータが読み取り可能に記録した記録媒体。
【発明の詳細な説明】
【技術分野】
【０００１】
本発明は、符合画像を取り扱うことができる印刷制御装置、印刷制御方法、制御プログラム及び記憶媒体に関する。
【背景技術】
【０００２】
情報を符号化して符号画像を生成し、当該生成された符号画像を原稿画像に合成する手法が実用化されている。二次元バーコードなどは、そのうちで最もよく知られた手法の一つである。前記符号画像は通常、紙やフィルム等のシート状の媒体（以降、紙面と表現する）上に印刷され、前記符号画像を復号する際は、例えばスキャナ等の読取装置によって符号画像を光学的に読み取り、復号する。しかし符号画像を印刷する場合、従来のプリントドライバ等の設定によりＮｉｎ１（Ｎ＞１）印刷（論理ページでのＮページを物理ページでの１ページに縮小配置して印刷する処理）がなされたとき、印刷される符号画像が縮小処理によりつぶれてしまい、符号画像は、復号時に必要とする精度を失ってしまうことが考えられる。ここで、符号画像を、その復号精度を保った状態で印刷する手法として、文字、図形等の目視にて読み取りが可能な可読画像とデータの符号化によってえた光学的に読み取り可能な符号画像を含む画像を紙面上に相似的に拡大または縮小して記録する際、その符号画像については当該拡大または縮小をせずに記録するというものがある。（例えば特許文献１参照。）また、符号画像を検知し、符号画像が存在する頁のみＮｉｎ１指定を無効にするというものがある（例えば特許文献２参照）
【先行技術文献】
【特許文献】
【０００３】
【特許文献１】特開２００２−３５４２３６号公報
【特許文献２】特開２００９−１４５９７７号公報
【発明の概要】
【発明が解決しようとする課題】
【０００４】
しかしながら、この特許文献１開示の技術を用いると、前記可読画像は拡大または縮小処理がなされ、前記符号画像は拡大または縮小がされないため、前記可読および符号画像が同紙面上に配置されている場合、その画像レイアウトは大きく崩れるという問題がある。また、出力用紙の物理サイズが考慮されていないため、印刷設定として、出力用紙のサイズダウンやＮｉｎ１設定がなされた印刷の場合、前記符号画像のサイズによっては紙面上に収まらないという問題も考えられる。
【０００５】
また、特許文献２開示の技術を用いると、符号画像が複数の頁に存在する場合、Ｎｉｎ１印刷したものと、Ｎｉｎ１設定を無効にして印刷されたのもが混在することになり可読性の低下が考えられる。また、頁ごとに符号画像が存在している場合はＮｉｎ１印刷を全く行わないことになる。
【課題を解決するための手段】
【０００６】
本発明は、上記の課題を解決するために、プリント画像に含まれる符号画像を検出する符号画像検出手段と、検出した符号画像に関する情報を取得し、記憶する符号画像情報記憶手段と、前記プリント画像を含むプリントジョブの印刷設定を取得する印刷設定取得手段と、前記印刷設定取得手段により、前記プリント画像が縮小印刷される場合に、前記符号画像情報記憶手段で記憶した符号画像に関する情報から、前記符号画像を前記プリントジョブの空白部分に結合するプリントジョブ結合手段とを有する。
【発明の効果】
【０００７】
本発明によれば、前記符号画像のみを抽出し縮小していない元の大きさの符号画像を別の頁で印刷することで、符号画像については、復号時の光学読み取り精度を保つ最適な設定にて印刷することが可能である。
【０００８】
また、前記符号画像が含まれている前記可読画像も印刷設定の通り印刷され、その後に符号画像のみの頁が印刷されるため、Ｎｉｎ１設定がされた頁とＮｉｎ１設定が無効になった頁が混在することがなく、可読性が損なわれない状態で印刷することが可能である。
【０００９】
更に、Ｎｉｎ１設定を無効にしないため符号画像が多い場合は、Ｎｉｎ１設定を無効にしない場合より少ない枚数で紙を印刷することができる。
【図面の簡単な説明】
【００１０】
【図１】本発明の印刷制御システムのシステム構成の一例を示すシステム構成図である。
【図２】本発明の印刷制御システムのハードウェア構成の一例を示すブロック図である。
【図３】本発明の印刷制御装置のソフトウウェア構成の一例を示すブロック図である。
【図４】本発明の印刷管理装置のソフトウウェア構成の一例を示すブロック図である。
【図５】本発明の実施形態における印刷制御装置の第１の制御処理手順の一例を示すフローチャートである。
【図６】本発明の実施形態における印刷ジョブの一例を示す模式図である。
【図７】本発明の実施形態における印刷ジョブの一例を示す模式図である。
【図８】本発明の実施形態における印刷ジョブの一例を示す模式図である。
【図９】本発明の実施形態における印刷制御装置が管理する符号画像情報テーブルの一例である。
【図１０】本発明の実施形態における印刷制御装置が管理する符号画像位置表記データ記憶部の一例である。
【図１１】本発明の実施形態における印刷制御装置の第２の制御処理手順の一例を示すフローチャートである。
【図１２】本発明に係るプログラム生成装置で読み出し可能な各種データ処理プログラムを格納する記録媒体のメモリマップを説明する図である。
【発明を実施するための形態】
【００１１】
以下、図面を参照して、本発明の実施形態を詳細に説明する。
【００１２】
図１は、本発明の印刷制御システムのシステム構成の一例を示すシステム構成図である。
【００１３】
このシステムではホストコンピュータ４０及び３台の画像形成装置（１０，２０，３０）がＬＡＮ５０に接続されているが、本発明における印刷システムにおいては、これらの接続数に限られることはない。また、本実施例では接続方法としてＬＡＮを適用しているが、これに限られることはない。例えば、ＷＡＮ（公衆回線）などの任意のネットワーク、ＵＳＢなどのシリアル伝送方式、セントロニクスやＳＣＳＩなどのパラレル伝送方式なども適用可能である。
【００１４】
ホストコンピュータ（以下、ＰＣと称する）４０はパーソナルコンピュータの機能を有している。このＰＣ４０はＬＡＮ５０やＷＡＮを介してＦＴＰやＳＭＢプロトコルを用いファイルを送受信したり電子メールを送受信したりすることができる。またＰＣ４０から画像形成装置１０、２０、３０に対して、プリンタドライバを介した印字命令を行うことが可能となっている。
【００１５】
画像形成装置１０と２０は同じ構成を有する装置である。画像形成装置３０はプリント機能のみの画像形成装置であり、画像形成装置１０や２０が有するスキャナ部を有していない。
【００１６】
本実施例においては、ＰＣ４０での動作を想定し、その構成を詳細に説明する。
【００１７】
以下、図２を参照して、図１に示したＰＣ４０、画像形成装置１０、２０、あるいは３０に適用可能な情報処理装置のハードウェア構成について説明する。
【００１８】
図２は、本発明の印刷制御システムのハードウェア構成の一例を示すブロック図である。なお、本発明の機能が実行されるのであれば、単体の機器であっても、複数の機器からなるシステムであっても、ＬＡＮ、ＷＡＮ等のネットワークを介して接続がなされ処理が行われるシステムであっても本発明を適用できる。
【００１９】
同図において、ホストコンピュータ３０００（図１のＰＣ４０）は、ＲＯＭ２００３のプログラム用ＲＯＭあるいは外部メモリ３０１１に記憶された文書処理プログラムに基づいて、図４以降で後述される本発明の実施形態に関わる処理を含む、図形、イメージ、文字、表（表計算等含む）等が混在した文書処理及びそれに基づく印刷処理の実行を制御するＣＰＵ２００１を備える。このＣＰＵ２００１は、システムバス２００４に接続される各デバイスの制御を総括する。また、ＲＯＭ２００３のプログラム用ＲＯＭあるいは外部メモリ３０１１には、ＣＰＵ２００１の制御プログラムであるオペレーティングシステム（以降ＯＳ）等を記憶し、ＲＯＭ２００３のフォント用ＲＯＭあるいは外部メモリ３０１１には前記文書処理の際に使用するフォントデータ等を記憶し、ＲＯＭ２００３のデータ用ＲＯＭあるいは外部メモリ３０１１には前記文書処理等を行う際に使用する各種データを記憶する。ＲＡＭ２００２は、ＣＰＵ２００１の主メモリ、ワークエリア等として機能する。
【００２０】
キーボードコントローラ（ＫＢＣ）２００５は、キーボード（ＫＢ）３００９や不図示のポインティングデバイスからの入力を制御する。ディスプレイコントローラ（ＤＳＰＣ）２００６は、例えば液晶ディスプレイなどで構成されるディスプレイ（ＤＩＳＰ）３０１０による表示を制御する。ディスクコントローラ（ＤＫＣ）２００７は、ブートプログラム、各種のアプリケーション、フォントデータ、ユーザファイル、編集ファイル、印刷制御コマンド生成プログラム（以降プリンタドライバ）等を記憶するハードディスク（ＨＤ）、フレキシブルディスク（ＦＤ）等の外部メモリ３０１１とのアクセスを制御する。プリンタコントローラ（ＰＲＴＣ）２００８は、双方向性インタフェース１８２１（例えばＬＡＮ５０）を介してプリンタ１５００（画像形成装置１０、２０、あるいは３０）に接続されて、プリンタ１５００との通信制御処理を実行する。
【００２１】
なお、ＣＰＵ２００１は、例えばＲＡＭ２００２上に設定された表示情報ＲＡＭへのアウトラインフォントの展開（ラスタライズ）処理を実行し、ＤＩＳＰ３０１０上でのＷＹＳＩＷＹＧを可能としている。また、ＣＰＵ１は、ＤＩＳＰ３０１０上の不図示のポインティングデバイス、たとえばマウスカーソル等で指示されたコマンドに基づいて登録された種々のウインドウを開き、種々のデータ処理を実行する。ユーザは印刷を実行する際、印刷の設定に関するウインドウを開き、プリンタの設定や、印刷モードの選択を含むプリンタドライバに対する印刷処理方法の設定を行える。
【００２２】
プリンタ１５００（画像形成装置１０、２０、あるいは３０）は、そのＣＰＵ１０１２により制御される。プリンタＣＰＵ１０１２は、ＲＯＭ１０１３のプログラム用ＲＯＭに記憶された制御プログラム等あるいは外部メモリ１５１４に記憶された制御プログラム等に基づいてシステムバス１０１５に接続される印刷部（プリンタエンジン）１５１７（プリンタ１４、２４、あるいは３３）に印刷出力情報としての画像信号を出力する。また、このＲＯＭ１０１３のプログラム用ＲＯＭには、ＣＰＵ１０１２の制御用プログラム等を記憶する。ＲＯＭ１０１３のフォント用ＲＯＭには上記印刷出力情報を生成する際に使用するフォントデータ等が記憶され、ＲＯＭ１０１３のデータ用ＲＯＭには、ハードディスク等の外部メモリ１５１４がないプリンタの場合には、ホストコンピュータ上で利用される情報等が記憶されている。
【００２３】
ＣＰＵ１０１２は入力部１０１８を介してホストコンピュータとの通信処理が可能となっており、プリンタ１５００内の情報等をホストコンピュータ３０００に通知できる。ＲＡＭ１０１９は、ＣＰＵ１０１２の主メモリや、ワークエリア等として機能するメモリで、図示しない増設ポートに接続されるオプションＲＡＭによりメモリ拡張することができるように構成されている。なお、ＲＡＭ１０１９は、出力情報展開領域、環境データ格納領域、ＮＶＲＡＭ等に用いられる。前述のハードディスク（ＨＤ）、ＩＣカード等の外部メモリ１５１４は、オプションとして接続され、フォントデータ、エミュレーションプログラム、フォームデータ等を記憶する。また、入力部１０１８には前述した操作パネルで操作のためのスイッチおよびＬＥＤ表示器等が配されている。
【００２４】
また、前述した外部メモリ１５１４は１個に限らず、複数個備えられ、内蔵フォントに加えてオプションカード、言語系の異なるプリンタ制御言語を解釈するプログラムを格納した外部メモリを複数接続できるように構成されてもよい。さらに、図示しないＮＶＲＡＭを有し、操作パネル１５１５（操作部１２、２２、あるいは３２）からのプリンタモード設定を記憶するようにしてもよい。
【００２５】
次に、図３及び図４を参照して、ＰＣ４０のソフトウェアの構成について説明する。
【００２６】
図３は、本発明の印刷制御装置のソフトウウェア構成の一例を示すブロック図である。印刷アプリケーション３０１、グラフィックエンジン３０２、プリンタドライバ３０３、およびシステムスプーラ３０４は、外部メモリ３０１１に保存されたファイルとして存在し、実行される場合にＯＳやそのモジュールを利用するモジュールによってＲＡＭ２００２にロードされ実行されるプログラムモジュールである。また、印刷アプリケーション３０１およびプリンタドライバ３０３は外部メモリ３０１１のＦＤや不図示のＣＤ−ＲＯＭ、あるいは不図示のネットワワークを経由して外部メモリ３０１１に追加することが可能になっている。外部メモリ３０１１に保存されている印刷アプリケーション３０１からプリンタ１５００（画像形成装置１０、２０、あるいは３０）に対して印刷を行う際には、同様にＲＡＭ３００２にロードされ実行可能となっているグラフィックエンジン３０２を利用して出力（描画）を行う。
【００２７】
グラフィックエンジン３０２は、プリンタなどの印刷装置ごとに用意されたプリンタドライバ３０３を同時に外部メモリ３０１１からＲＡＭ３００２にロードし、印刷アプリケーション３０１の出力をプリンタドライバ３０３に設定する。そして、印刷アプリケーション３０１から受け取るＧＤＩ（Graphic Device Interface）関数をＤＤＩ（Device
Driver Interface）関数に変換して、プリンタドライバ３０３へＤＤＩ関数を出力する。プリンタドライバ３０３は、グラフィックエンジン３０２から受け取ったＤＤＩ関数に基づいて、プリンタが認識可能な制御コマンド、例えばＰＤＬ（Page Description Language）に変換する。変換されたプリンタ制御コマンドは、ＯＳによってＲＡＭ３００２にロードされたシステムスプーラ３０４を経て双方向インタフェース１８２１経由でプリンタ１５００へ印刷データとして出力される仕組みとなっている。
【００２８】
本実施形態の印刷システムは、印刷アプリケーション３０１内にプリントジョブ制御部３０５を有する。印刷アプリケーション３０１は前記符号画像を含む画像のプリントジョブ生成に関し、前記プリントジョブ制御部３０５の実行により、後述のプリントジョブ生成などの処理を行う。なお、プリントジョブ制御部３０５は印刷アプリケーション３０１のビルトインモジュールであってもよいし、個別のインストレーションによって追加されるライブラリモジュールの形式であっても構わない。また、同機能をプリンタドライバ３０３等、他の印刷処理過程で行うことも考えられる。あるいはソフトウェアに限らず、例えば、ＡＳＩＣやＦＰＧＡなどのハードウェアによっても十分実現は可能である。
【００２９】
図４は、本発明の印刷管理装置（ホストコンピュータ３０００）における印刷処理のための構成の他の例を示す図である。
【００３０】
図４は、図３に示した構成を、特にプリントジョブ制御部３０５に焦点をあて、さらに詳細に記したブロック図である。
【００３１】
本実施例において、プリントジョブ制御部３０５は、グラフィックエンジン３０２を介し、印刷要求時に適用される。
【００３２】
印刷設定取得部４０１はプリンタドライバ３０３等がＲＡＭ２００２や外部メモリ３０１１にて保管している印刷設定を取得する。また、符号画像検出部４０２は図形、イメージ、文字、表（表計算等含む）等が混在する印刷対象画像より符号画像を検出する。符号画像情報記憶部４０３は、符号画像検出部４０２で検出した符号画像やその符号画像の位置情報などを記憶する。プリントジョブ生成部４０４は、プリントジョブを生成する。プリントジョブ結合部４０５は、プリントジョブ生成部４０４で生成したプリントジョブに符号画像の情報を結合させる。また、符号画像位置表記データ記憶部は、符号画像の位置を表記するためのデータを記憶している。
【００３３】
次に、図５を参照して、本発明におけるＮｉｎ１（Ｎ＞１）の縮小印刷の指定がなされた時の一連の処理フローを説明する。
【００３４】
図５は、本発明の実施形態における印刷制御装置の第１の制御処理手順の一例を示すフローチャートであり、プリントジョブ制御処理に対応する。なお、このフローチャートの処理は、図２で示したＣＰＵ２００１が外部メモリ３０１１等に格納されたプログラムをＲＡＭ２００２にロードして実行することにより実現される。また、図中のＳ５０１〜Ｓ５１４は各ステップを示す。
【００３５】
まず、ステップＳ５０１において、印刷制御装置のＣＰＵ２００１（以後ＣＰＵ２００１）は、外部メモリ３０１１にある印刷ジョブをＲＡＭ２００２に読み込む。
【００３６】
次に、ステップＳ５０２において、ＣＰＵ２００１は、ステップＳ５０１でＲＡＭ２００２に読み込んだ印刷ジョブの論理印刷を実施する。論理印刷とは、実際には印字せずホストコンピュータ３０００のメモリ上で印字したイメージを作成することである。以後、論理印刷した結果を論理印刷ジョブと呼ぶ。論理印刷ジョブはＲＡＭ２００２に記憶される。
【００３７】
次に、ステップＳ５０３において、ＣＰＵ２００１は、ＲＡＭ２００２に記憶された論理印刷ジョブの中に符号画像が存在するかを確認する。符号画像が存在するかしないかは、印刷ジョブの中に予め指定されていても良いし、論理印刷ジョブの画像を読み込んで判断しても良い。
【００３８】
ステップＳ５０３で論理印刷ジョブ内に符号画像が存在しないと判断した場合は、ステップＳ５１３に移行する。ステップＳ５１３に移行した場合は、ＣＰＵ２００１は、ＲＡＭ２００２や外部メモリ３０１１に記憶された印刷設定を取得して、ステップＳ５１１に移行する。
【００３９】
一方、ステップＳ５０３において、論理印刷ジョブ内に符号画像が存在すると判断した場合は、ステップＳ５０４に移行する。
【００４０】
ステップＳ５０４において、ＣＰＵ２００１は、論理印刷ジョブ内の符号画像情報を取得する。取得する情報としては、符号画像、符号画像の位置などがある。なお、符号画像情報については印刷ジョブの中で予め指定されていても良いし、論理印刷ジョブの画像を読み込んで符号画像や符号画像の位置を特定しても良い。図６に符号画像が含まれる印刷ジョブの例を説明する。
【００４１】
図６は、本発明の実施形態における印刷ジョブの一例を示す模式図である。
【００４２】
図６の６１０が論理印刷を実施した論理印刷ジョブの結果の例であり、６０１〜６０３が符号画像である。本発明は６１０の印刷物をＮｉｎ１印刷した際に、６１２のような結果を得ることが目的である。図５のフローチャートの説明に戻る。
【００４３】
次に、ステップＳ５０５において、ＣＰＵ２００１は、符号画像情報を符号画像情報記憶部４０３に記憶する。記憶する情報は、ステップＳ５０４で取得した符号画像自体や符号画像の位置などである。符号画像情報記憶部４０３に記憶されたデータの例を図９に示す。
【００４４】
図９は、本発明の実施形態における印刷制御装置が管理する符号画像情報テーブルの一例である。
【００４５】
図９において、９０１は符号画像毎にユニークに付された画像番号であり、図示しないデータベースなどで保存されている符号画像自体と連携している。９０２は符号画像の存在する論理印刷ジョブ上での論理ページであり、９０３は符号画像の論理印刷ジョブ上の論理ページでの存在位置を示している。図９は図６の６１０の例の場合の符号画像情報テーブルの例である。すなわち、９０１が画像（１）である符号画像の情報としては、６１０の６０１が対応し、画像（２）である符号画像の情報としては６１０の６０２、画像（３）である符号画像の情報としては６１０の６０３が対応する。９０２は各符号画像が存在する論理ページ数を示し、６０１は１ページ目、６０２は３ページ目、６０３は５ページ目にあることを示す。９０３の符号画像の論理印刷ジョブ上の論理ページでの存在位置は、横軸をｘ軸、縦軸をｙ軸とし、論理ページの左上を原点として座標で特定されている。図５のフローチャートの説明に戻る。
【００４６】
図５のステップＳ５０５において、符号画像情報記憶部４０３に符号画像情報を記憶した後、ステップＳ５０６において、ＣＰＵ２００１は、ＲＡＭ２００２や外部メモリ３０１１に記憶された印刷設定（２ｉｎ１や４ｉｎ１などの１枚の物理ページに複数の論理ページを配置して印刷するＮｉｎ１印刷設定）を取得し、Ｎｉｎ１印刷のＮの値をＲＡＭ２００２などに記憶しておく。
【００４７】
次に、ステップＳ５０７において、ＣＰＵ２００１は、符号画像情報記憶部に記憶された符号画像をステップＳ５０６で取得した印刷設定のＮの倍率だけ拡大して、ＲＡＭ２００２などに記憶する。符号画像をＮ倍に拡大して印刷することにより、後にＮｉｎ１印刷で縮小される符号画像を元の大きさで印刷可能となる。具体的には２ｉｎ１の場合には符号画像の１辺が√２倍となるように拡大する。
【００４８】
次に、ステップＳ５０８において、ＣＰＵ２００１は、論理印刷ジョブの最終ページにステップＳ５０７で拡大した符号画像を生成（付与）出来るだけの空白部分があるかどうかを判断する。最終ページに拡大した符号画像を生成できるだけの空白部分がある場合は、ステップＳ５１０に移行し、拡大した符号画像を生成できるだけの空白部分が無い場合は、ステップＳ５０９に移行する。
【００４９】
ステップＳ５０９において、ＣＰＵ２００１は、印刷ジョブの論理印刷ジョブの最後に新規ページを作成し、ステップＳ５１０に移行する。
【００５０】
ステップＳ５１０において、ＣＰＵ２００１は、拡大した符号画像を印刷ジョブの最後の空白部分に配置（付与）する。図６を参照して説明する。
【００５１】
図６の６１１は、論理印刷ジョブに拡大した符号画像を配置した例である。論理印刷ジョブの結果の５ページに６０４の拡大した符号画像を配置した例となっている。６０４の６０５は６０１のＮ倍した符号画像であり、６０６、６０７はそれぞれ、６０２、６０３をＮ倍した符号画像である。図５のフローチャートの説明に戻る。
【００５２】
次に、ステップＳ５１１において、論理印刷ジョブの結果と拡大した符号画像を付与した結果をステップＳ５０６もしくは、Ｓ５１３で取得したＮｉｎ１印刷設定で実印刷ジョブを生成する。実印刷した結果について、図６を参照して説明する。
【００５３】
図６の６１２は６１０の論理印刷ジョブを２ｉｎ１で印刷した実印刷ジョブの結果の一例である。２ｉｎ１印刷した結果、最後のページ６０８に符号画像が元の大きさで配置されている。
【００５４】
以上の構成により、前記符号画像のみを抽出し縮小していない元の大きさの符号画像を別の頁で印刷することで、符号画像については、復号時の光学読み取り精度を保つ最適な設定にて印刷することが可能である。
【００５５】
また、前記符号画像が含まれている前記可読画像も印刷設定の通り印刷され、その後に符号画像のみの頁が印刷されるため、Ｎｉｎ１設定がされた頁とＮｉｎ１設定が無効になった頁が混在することがなく、可読性が損なわれない状態で印刷することが可能である。
【００５６】
更に、Ｎｉｎ１設定を無効にしないため符号画像が多い場合は、Ｎｉｎ１設定を無効にしない場合より少ない枚数で紙を印刷することができる。
＜第２の実施形態＞
【００５７】
第１の実施形態では、図５のステップＳ５０８において、論理印刷ジョブの最終ページにステップＳ５０７で拡大した符号画像を生成（付与）出来るだけの空白部分がない場合を説明したが、
【００５８】
第２の実施形態では、図５のステップＳ５０８で、論理印刷ジョブの最終ページにステップＳ５０７で拡大した符号画像を生成（付与）出来るだけの空白部分がある場合について、図７を参照して説明する。
【００５９】
図７は、本発明の実施形態における印刷ジョブの一例を示す模式図である。
【００６０】
図７の７１０が論理印刷を実施したステップＳ５０２で得られる論理印刷ジョブの結果の例であり、７０１〜７０２が符号画像である。本発明は７１０の印刷物をＮｉｎ１印刷した際に、７１１のような結果を得ることが目的である。
【００６１】
符号画像７０１及び７０２をステップＳ５０７でＮ倍に拡大させ、ステップＳ５０８において拡大した符号画像を付与出来るだけの空白部分にある場合（図７の７０３）、７１１の実印刷ジョブの結果のように７０６が出力される。７１１の実印刷ジョブの場合は縮小された符号画像７０１、７０２がそれぞれ７０４、７０５に元の大きさで付与される。
＜第３の実施形態＞
【００６２】
第１及び第２の実施形態では、図５のステップＳ５１０において、拡大した符号画像のみを配置した場合を説明したが、第３の実施形態では、ステップＳ５１０で最終ページに拡大した符号画像を付与する際に、元の符号画像の位置情報、もしくは対応するユニークなデータをも付与する構成について、図１１のフローチャートを参照して説明する。
【００６３】
図１１は、本発明の実施形態における印刷制御装置の第２の制御処理手順の一例を示すフローチャートであり、図５のステップＳ５１０の処理に対応する。なお、このフローチャートの処理は、図２で示したＣＰＵ２００１が外部メモリ３０１１等に格納されたプログラムをＲＡＭ２００２にロードして実行することにより実現される。また、図中のＳ１１０１〜Ｓ１１０４は各ステップを示す。
【００６４】
まず、ステップＳ１１０１において、ＣＰＵ２００１は、ステップＳ５０４で取得した符号画像情報記憶部に記憶された符号画像の位置情報を読み込む。具体例として、図９の９０１と同時に９０２や９０３の値を読み込む。
【００６５】
次に、ステップＳ１１０２において、ＣＰＵ２００１は、論理印刷ジョブ内の符号画像上に、各符号画像に振られたユニークなデータを付与する。具体例として、図９の９０１に記載している画像番号（（１）や（２）、（３）など）を付与する。図８を参照して、ステップＳ１１０２を説明する。
【００６６】
図８は、本発明の実施形態における印刷ジョブの一例を示す模式図である。
【００６７】
図８の８２０が、ステップＳ５０２において論理印刷を実施した論理印刷ジョブの結果の例であり、８０１〜８０３が符号画像である。
【００６８】
ステップＳ１１０２において、ＣＰＵ２００１は、論理印刷ジョブ内の符号画像８０１〜８０３上に、図９の９０１にあるユニークなデータ（（１）や（２）、（３））を付与し、８２１の８０４や８０５、８０６のように、論理印刷ジョブの符号画像上にユニークなデータである（１）や（２）、（３）等の記号を付与している。図１１のフローチャートの説明に戻る。
【００６９】
図１１のステップＳ１１０２で論理印刷ジョブの符号画像上に、符号画像情報記憶部４０３に記憶されたユニークなデータを付与すると、次のステップＳ１１０３において、ＣＰＵ２００１は、符号画像位置表記データ記憶手段４０６から符号画像の位置情報の表記情報を取得する。符号画像位置表記データ記憶手段４０６の例について図１０を参照して説明する。
【００７０】
図１０は、本発明の実施形態における印刷制御装置が管理する符号画像位置表記データ記憶部の一例である。
【００７１】
図１０の１００１は論理印刷ジョブ上での原稿のサイズ及び向きを示しており、Ａ４縦と示されたデータは原稿サイズがＡ４で縦長の時の論理印刷ジョブに対するデータであることを示す。また、１００２は論理印刷ジョブ上での符号画像の位置範囲を示しており、１００３は符号画像の位置を表記するデータが保存されている。例えば、Ａ４縦の論理印刷ジョブ上でｘ＝５０、ｙ＝５０の位置に符号画像がある場合は、１００４の「ｘ＝０〜１００、ｙ＝０〜７０」の行が該当する為、符号画像の位置表記データである「上段、左」を取得する。図１１のフローチャートの説明に戻る。
【００７２】
図１１のステップＳ１１０４において、ＣＰＵ２００１は、ステップＳ１１０３で取得した符号画像の位置情報に対応した位置表記データを拡大した符号画像と共に論理印刷ジョブに付与する。図９の符号画像情報テーブルの場合について図８を参照して説明する。
【００７３】
図９の符号画像情報テーブルに保存された９０１の符号画像（１）〜（３）の位置座標９０３から、位置表記９０４は図１０のそれぞれ、（１）、（２）、（３）が１００５、１００６、１００４に対応しているので、（１）、（２）、（３）の位置表記は、「中段、左」、「下段、中央」、「上段、左」となる。その結果、論理印刷ジョブの最後のページは８１３のように、拡大された符号画像と位置表記が付与される。
【００７４】
８１３の論理ページでは、８０７に８０４に出力される符号画像がＮ倍で付与され、付加情報として、８１０のように符号画像毎のユニークなデータと符号画像の位置を示した位置表記情報を付与している。同様に、８０８、８０９には、８０５、８０６で出力される符号画像がＮ倍で付与され、付加情報としてそれぞれ８１１、８１２のように符号画像毎のユニークなデータと符号画像の位置を示した位置表記情報を付与する。
【００７５】
以上の手順により、複数の符号画像がある場合にもユーザが対応する符号画像を容易に確認可能という効果を得ることができる。
【００７６】
なお、第３の実施形態では、ステップＳ１１０２とステップＳ１１０３の両方を論理印刷ジョブに付与しているが、ステップＳ１１０２もしくはステップＳ１１０３のどちらか１つのみを実施しても良いし、どちらも実施しても良い。ステップＳ１１０２のみを実施する場合はステップＳ１１０４では、９０１にあるユニークなデータを付与するのみであり、ステップＳ１１０３のみを実施する場合は、位置表記のみを付与する。
【００７７】
なお、上記各実施形態のいずれか複数を組み合わせた構成も全て本発明に含まれるものである。
【００７８】
以上の構成により、前記符号画像のみを抽出し縮小していない元の大きさの符号画像を別の頁で印刷することで、符号画像については、復号時の光学読み取り精度を保つ最適な設定にて印刷することが可能である。
【００７９】
以下、図１２に示すメモリマップを参照して本発明に係るプログラム生成装置で読み出し可能なデータ処理プログラムの構成について説明する。
【００８０】
図１２は、本発明に係るプログラム生成装置で読み出し可能な各種データ処理プログラムを格納する記録媒体のメモリマップを説明する図である。
【００８１】
なお、特に図示しないが、記録媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【００８２】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【００８３】
本実施形態における図５、図１１に示す機能が外部からインストールされるプログラムによって、ホストコンピュータにより遂行されていてもよい。そして、その場合、ＣＤ−ＲＯＭやフラッシュメモリやＦＤ等の記録媒体により、あるいはネットワークを介して外部の記録媒体から、プログラムを含む情報群を出力装置に供給される場合でも本発明は適用されるものである。
【００８４】
以上のように、前述した実施形態の機能を実現するソフトウェアのプログラムコードを記録した記録媒体を、システムあるいは装置に供給し、そのシステムあるいは装置のコンピュータ（またはＣＰＵやＭＰＵ）が記録媒体に格納されたプログラムコードを読出し実行することによっても、本発明の目的が達成されることは言うまでもない。
【００８５】
この場合、記録媒体から読み出されたプログラムコード自体が本発明の新規な機能を実現することになり、そのプログラムコードを記憶した記録媒体は本発明を構成することになる。
【００８６】
従って、プログラムの機能を有していれば、オブジェクトコード、インタプリタにより実行されるプログラム、ＯＳに供給するスクリプトデータ等、プログラムの形態を問わない。
【００８７】
プログラムを供給するための記録媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【００８８】
この場合、記録媒体から読出されたプログラムコード自体が前述した実施形態の機能を実現することになり、そのプログラムコードを記憶した記録媒体は本発明を構成することになる。
【００８９】
その他、プログラムの供給方法としては、クライアントコンピュータのブラウザを用いてインターネットのホームページに接続し、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【００９０】
また、本発明のプログラムを暗号化してＣＤ−ＲＯＭ等の記録媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００９１】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００９２】
さらに、記録媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００９３】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウェアによって表されるプログラムを格納した記録媒体を該システムあるいは装置に読み出すことによって、そのシステムあるいは装置が、本発明の効果を享受することが可能となる。
【００９４】
本発明は上記実施形態に限定されるものではなく、本発明の趣旨に基づき種々の変形（各実施形態の有機的な組合せを含む）が可能であり、それらを本発明の範囲から排除するものではない。
【００９５】
本発明の様々な例と実施形態を示して説明したが、当業者であれば、本発明の趣旨と範囲は、本明細書内の特定の説明に限定されるのではない。
【符号の説明】
【００９６】
３０１    印刷アプリケーション
３０２    グラフィックエンジン
３０５    プリントジョブ制御部
４０１    印刷設定取得部
４０２    符号画像検出部
４０３    符号画像情報取得部
４０４    プリントジョブ生成部
４０５    プリントジョブ結合部
４０６    符号画像位置表記データ記憶部
【図１】
2012120099.tif 000003
【図２】
2012120099.tif 000004
【図３】
2012120099.tif 000005
【図４】
2012120099.tif 000006
【図５】
2012120099.tif 000007
【図６】
2012120099.tif 000008
【図７】
2012120099.tif 000009
【図８】
2012120099.tif 000010
【図９】
2012120099.tif 000011
【図１０】
2012120099.tif 000012
【図１１】
2012120099.tif 000013
【図１２】
2012120099.tif 000014